(57)【要約】【課題】  カメラ付き携帯通信端末と接続された複合機において、デジタルカメラの画像、メールデータ、Ｅメールアドレス、電話番号等を、自動的に複合機に転送し、関連情報も含めて保存可能である自動バックアップ機能を持つ複合機を提供することを目的とする。【解決手段】  受信手段が受信した画像データまたはメールデータが、保存対象であるかどうかを判別する第１判別手段と、上記第１判別手段が保存対象であると判別した画像データまたはメールデータを記憶する記憶手段と、上記記憶手段が記憶した画像データまたはメールデータのリンク情報を検出するリンク情報検出手段と、リンク情報があることを、上記リンク情報検出手段が検出した場合、画像データとメールデータとを関連付けて、上記記憶手段に記憶するように制御する制御手段とを有するバックアップ装置である。【選択図】  図１
2006054691.tif 000002
【特許請求の範囲】
【請求項１】
携帯通信端末と接続するインタフェース手段と；
上記インタフェース手段に、上記携帯通信端末が接続されたことを検出する接続検出手段と；
上記携帯通信端末が接続されたことを、上記接続検出手段が検出した後に、携帯通信端末から画像データまたはメールデータを受信する受信手段と；
上記受信手段が受信した画像データまたはメールデータが、保存対象であるかどうかを判別する第１判別手段と；
上記第１判別手段が保存対象であると判別した画像データまたはメールデータを記憶する記憶手段と；
上記記憶手段が記憶した画像データまたはメールデータのリンク情報を検出するリンク情報検出手段と；
リンク情報があることを、上記リンク情報検出手段が検出した場合、画像データとメールデータとを関連付けて、上記記憶手段に記憶するように制御する制御手段と；
を有することを特徴とする画像処理装置。
【請求項２】
請求項１において、
上記リンク情報検出手段は、上記受信手段が受信したメールデータの中に含まれているリンク情報を検出する手段であることを特徴とする画像処理装置。
【請求項３】
請求項１において、
上記リンク情報検出手段は、上記受信手段が受信したデータであって、画像データ、メールデータのうちの少なくとも一方のデータに付与されているリンク情報を検出する手段であることを特徴とする画像処理装置。
【請求項４】
請求項１において、
画像データまたはメールデータの受信タイミングを設定するための入力手段を有し、
上記受信手段は、携帯通信端末が接続されたことを上記接続検出手段が検出した場合、上記入力手段で入力された受信タイミングに従って、画像データまたはメールデータを受信する手段であることを特徴とする画像処理装置。
【請求項５】
請求項１において、
上記第１判別手段は、上記受信手段が受信した画像データまたはメールデータに付与されている所定の情報に基づいて、保存対象であるか否かを判別する手段であることを特徴とする画像処理装置。
【請求項６】
請求項１または請求項５において、
上記第１判別手段が保存対象であると判別した画像データにおいて、同一画像で異なったサイズのデータが存在するか否かを判別する第２判別手段を有し、
上記制御手段は、同一画像で異なったサイズの画像データが存在することを、上記第２判別手段が判断した場合、大きいサイズの画像データを上記記憶手段に記憶させる手段であることを特徴とする画像処理装置。
【請求項７】
請求項４において、
上記入力手段に設定される受信タイミングは、上記携帯通信端末が接続されたことを、上記接続検出手段が検出したタイミングであることを特徴とする画像処理装置。
【請求項８】
請求項４において、
上記入力手段に設定される受信タイミングは、上記携帯通信端末のバッテリ残量が所定値に達したタイミングであることを特徴とする画像処理装置。
【請求項９】
請求項４において、
タイマを有し、
上記入力手段に設定される受信タイミングは、上記タイマによって所定の時刻が計時されたタイミングであることを特徴とする画像処理装置。
【請求項１０】
携帯通信端末と接続するインタフェース手段に、上記携帯通信端末が接続されたことを検出する接続検出工程と；
上記携帯通信端末が接続されたことを、上記接続検出工程で検出した後に、携帯通信端末から画像データまたはメールデータを受信する受信工程と；
上記受信工程で受信した画像データまたはメールデータが、保存対象であるかどうかを判別する第１判別工程と；
上記第１判別工程で保存対象であると判別した画像データまたはメールデータを記憶する記憶工程と；
上記記憶工程で記憶した画像データまたはメールデータのリンク情報を検出するリンク情報検出工程と；
リンク情報があることを、上記リンク情報検出工程で検出した場合、画像データとメールデータとを関連付けて、上記記憶工程で記憶するように制御する制御工程と；
を有することを特徴とする画像処理装置の制御方法。
【発明の詳細な説明】
【技術分野】
【０００１】
本発明は、画像処理装置およびその制御方法に関する。
【背景技術】
【０００２】
近年、デジタルカメラは、その普及が急激に広がり、従来はパソコンの周辺機器というイメージであったが、パソコンを持たない家庭等も含めて、デジタルカメラの売上が伸びている。通常、デジタルカメラによって撮影されたデータは、ＳＤカード、コンパクトフラッシュ（登録商標）メモリ等のメモリカードにデータを蓄えている。家庭にパソコンがある場合は、画像データをパソコンに取り込み、プリンタ等の記録装置で印刷することができる。
【０００３】
また、デジタルカメラの機能を持った携帯通信端末が爆発的に普及をしている。これは、上記デジタルカメラの便利性と、携帯通信端末の特徴である携帯性によるものと思われる。そのため、携帯通信端末でのデジタル画像データのハンドリングが今後の課題となる。特に、カメラ付き携帯通信端末において、そのカメラで撮影した画像の保存は、重要な課題である。
【０００４】
従来、カメラ付きの携帯通信端末の画像データ等について、次の処理（１）〜（３）が実行されている。つまり、
処理（１）：携帯通信端末内部での保存、
処理（２）：携帯通信端末に挿入されている外部メモリへの保存、
処理（３）：携帯通信端末とパソコンとを接続し、パソコンにデータを転送する（たとえば、特許文献１、特許文献２参照）。
【０００５】
しかし、上記処理（１）、（２）では、データバックアップが無いので、データの保存方法としては貧弱である。上記処理（３）では、接続や転送等が非常に面倒であり、またパソコンと専用ソフトウェアとを必要とするので、ユーザには不便である。
【０００６】
また、デジタルカメラから、画像を蓄積するデータを持つ装置へ自動的にバックアップする方法が知られている。この従来方法においては、デジタルカメラの接続時に、画像データを自動バックアップする機能を実現している（たとえば、特許文献３参照）。
【０００７】
しかし、特許文献３記載の方法では、データを画像に限定し、かつ画像保存側が画像再生機能をもつ必要がある。そして、携帯通信端末内の画像データとメールのデータとの関連情報も保存されていない。
【特許文献１】特開平７−８７４３号公報
【特許文献２】特開平１１−２２８５号公報
【特許文献３】特開２０００−３５４２１８号公報
【発明の開示】
【発明が解決しようとする課題】
【０００８】
本発明は、カメラ付き携帯通信端末と接続された複合機において、デジタルカメラの画像、メールデータ、Ｅメールアドレス、電話番号等を、自動的に複合機に転送し、関連情報も含めて保存可能である自動バックアップ機能を持つ複合機を提供することを目的とする。
【０００９】
なお、上記関連情報には、メールに画像が添付されている等の情報をも含み、これらをバックアップ時に保存する。
【００１０】
また、本発明は、バックアップ先を選択する機能、複合機にデータを一時的に退避し、外部サーバ、またはパソコンが接続された際に、データを転送する機能を持つことによって、幅広いバックアップ動作を実現する画像処理装置およびその制御方法を提供することを目的とするものである。
【課題を解決するための手段】
【００１１】
本発明は、携帯通信端末と接続するインタフェース手段と、上記インタフェース手段に、上記携帯通信端末が接続されたことを検出する接続検出手段と、上記携帯通信端末が接続されたことを、上記接続検出手段が検出した後に、携帯通信端末から画像データまたはメールデータを受信する受信手段と、上記受信手段が受信した画像データまたはメールデータが、保存対象であるかどうかを判別する第１判別手段と、上記第１判別手段が保存対象であると判別した画像データまたはメールデータを記憶する記憶手段と、上記記憶手段が記憶した画像データまたはメールデータのリンク情報を検出するリンク情報検出手段と、リンク情報があることを、上記リンク情報検出手段が検出した場合、画像データとメールデータとを関連付けて、上記記憶手段に記憶するように制御する制御手段とを有する画像処理装置である。
【発明の効果】
【００１２】
本発明によれば、カメラ付き携帯通信端末と接続された複合機において、デジタルカメラの画像、メールデータ、Ｅメールアドレス、電話番号等を、自動的に複合機に転送し、関連情報も含めて保存可能であるという効果を奏する。
【００１３】
また、バックアップタイミングによって、携帯通信端末２００の自動バックアップのタイミングを調整することができる。また、次の３つのパターンで、バックアップをとることができる。つまり、自動バックアップを携帯通信端末２００接続時、携帯通信端末２００の電池が少ない際を考慮した充電完了時、あるいはバックアップするために必要十分な充電量に達している時、ユーザの携帯通信端末２００を使用しない時間をセットすることによって自由にバックアップが可能な時刻の３つのパターンで、バックアップをとることができる。これによって、バックアップのタイミングを、柔軟に設定することができる。
【００１４】
また、所望の画像やメールデータのみを、バックアップすることもできる。
【００１５】
さらには、バックアップする画像として、サイズが異なる同じ画像がある場合は、特に印刷の用途が多い複合機において、サイズが大きい画像を保存することによってサイズの小さい画像を印刷することと比べて、よりきれいな画像を印刷することができる。
【発明を実施するための最良の形態】
【００１６】
発明を実施するための最良の形態は、次の実施例である。
【実施例１】
【００１７】
図１は、本発明の実施例１である画像処理装置（バックアップ装置）１００の概略構成を示すブロック図である。
【００１８】
画像処理装置１００は、ＣＰＵ１０１と、ＲＯＭ１０２と、ＲＡＭ１０３と、画像メモリ１０４と、データ変換部１０５と、読取制御部１０６と、読取部１０７と、操作表示部１０８と、通信制御部１０９と、解像度変換処理部１１０と、符号復号化処理部１１１と、記録制御部１１２と、記録部１１３と、ＵＳＢホスト制御部１１４と、ＵＳＢファンクション制御部１１５と、データ蓄積部１１６と、携帯通信端末認証部１１７と、携帯通信端末Ｉ／Ｆ制御部１１８と、ＰＣＭＣＩＡ  Ｉ／Ｆ制御部１１９と、メモリカード１２０と、デジタルカメラ１２１とを有する。
【００１９】
ＣＰＵ１０１は、システム制御部であり、画像処理装置１００の全体を制御する。
【００２０】
ＲＯＭ１０２は、ＣＰＵ１０１が実行する制御プログラムや組み込みオペレーティングシステム（ＯＳ）プログラム等を格納する。実施例１では、ＲＯＭ１０２に格納されている各制御プログラムは、ＲＯＭ１０２に格納されている組み込みＯＳの管理下で、スケジューリングやタスクスイッチ等のソフトウェア制御を行う。
【００２１】
ＲＡＭ１０３は、ＳＲＡＭ（ｓｔａｔｉｃ  ＲＡＭ）等で構成され、プログラム制御変数等を格納し、また、オペレータが登録した設定値や画像処理装置１００の管理データ等を格納し、各種ワーク用バッファ領域が設けられている。
【００２２】
画像メモリ１０４は、ＤＲＡＭ（ｄｙｎａｍｉｃ  ＲＡＭ）等で構成され、画像データを蓄積する。
【００２３】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００２４】
読取制御部１０６は、読取部１０７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、実施例１において、読取制御部１０６は、原稿を搬送しながら読み取りを行うシート読取制御方式と、原稿台にある原稿をスキャンするブック読取制御方式の両制御方式とに対応している。
【００２５】
操作表示部１０８は、数値入力キー、文字入力キー、ワンタッチ電話番号キー、モード設定キー、決定キー、取り消しキー等を備え、ユーザが画像送信相手先データの決定や登録値の設定データや省エネモードの設定の登録動作を行うための操作部と、各種キー、ＬＥＤ（発光ダイオード）とＬＣＤ（液晶ディスプレイ）等によって構成され、オペレータによる各種入力操作、画像処理装置１００の動作状況、ステータス状況の表示等を行う表示部である。
【００２６】
通信制御部１０９は、ＭＯＤＥＭ（変復調装置）、ＮＣＵ（網制御装置）等によって構成されている。実施例１では、通信制御部１０９は、アナログの通信回線（ＰＳＴＮ）に接続され、Ｔ３０プロトコルでの通信制御、通信回線に対する発呼と着呼等の回線制御を行う。
【００２７】
解像度変換処理部１１０は、画像データのミリ−インチ解像度変換等の解像度変換制御を行う。なお、解像度変換部１１０において、画像データの拡大縮小処理も可能である。
【００２８】
符号復号化処理部１１１は、画像処理装置１００で扱う画像データ（ＭＨ、ＭＲ、ＭＭＲ、ＪＢＩＧ、ＪＰＥＧ等）について、符号復号化処理、拡大縮小処理を行う。
【００２９】
記録制御部１１２は、印刷される画像データに対し、図示しない画像処理制御部を介して、スムージング処理、記録濃度補正処理、色補正等の各種画像処理を施し、高精細な画像データに変換し、ＵＳＢホスト制御部１１４に出力する。また、ＵＳＢホスト制御部１１４を制御することによって、定期的に記録部１１３の状態情報データを取得する役割も果たす。
【００３０】
記録部１１３は、レーザビームプリンタやインクジェットプリンタ等からなる印刷装置であり、カラー画像データ、またはモノクロ画像データを印刷部材に印刷する。ＵＳＢホスト制御部１１４との間で、ＵＳＢ通信規格によって定められているプロトコルで通信を行い、特に記録部１１３は、ファンクションの機能を有する。
【００３１】
ＵＳＢホスト制御部１１４は、ＵＳＢ通信規格で定められているプロトコルで通信を行うための制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部１１４は、ＵＳＢ通信におけるホストの機能を有する。
【００３２】
ＵＳＢファンクション制御部１１５は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信を行い、逆に、外部の情報処理端末からのＵＳＢパケットを、データに変換し、ＣＰＵ１０１に送信する。
【００３３】
データ蓄積部１１６は、データを蓄積するための部位である。画像メモリ１０４でのＤＲＡＭでは、データバックアップ用の領域を用意していないので、実施例１では、データ蓄積部として、データ保存領域を用意している。画像メモリ１０４と共有する場合もある。データ蓄積部１１６に、データのバックアップ等を行うことができる。実施例１では、ＤＲＡＭを用いているが、ハードディスクや揮発性メモリ等を、ＤＲＡＭの代わりに使用するようにしてもよい。
【００３４】
携帯通信端末認証部１１７は、携帯電話等の携帯通信端末２００との間で、データをやり取りし、接続された端末との間で、認証をやり取りする。ここでは、端末データと電話番号とを認証する。
【００３５】
携帯通信端末Ｉ／Ｆ制御部１１８は、携帯通信端末２００と接続するためのインタフェースの制御部である。このインタフェース１１８から携帯通信端末２００等に接続することができる。接続方法に関しては、ＵＳＢ、ＢＬＵＥＴＯＯＴＨ等があるが、データの送受信ができればこの限りではない。
【００３６】
ＰＣＭＣＩＡ  Ｉ／Ｆ制御部１１９は、ポータブルＰＣ用のカード型メモリのインタフェースの制御部である。実施例１では、本インタフェース１１９によって、外部メモリカード１２０との間で接続する。
【００３７】
メモリカード１２０は、データ記憶媒体であり、画像処理装置１００に接続することができる。実施例１では、ＰＣＭＣＩＡのインタフェースによって、メモリカード１２０を接続するが、外部メモリカードが接続できる方法であれば、この限りではない。ＰＣＭＣＩＡ  Ｉ／Ｆ制御部１１９を通して、メモリカード１２０内のデータ（画像データやその他電子データ）に、アクセスすることができる。
【００３８】
デジタルカメラ１２１は、レンズを介して撮影した画像を、デジタルデータとして保存するカメラである。ＵＳＢファンクション制御部１１５と接続することができ、通信を行うことによって、デジタルカメラ１２１と画像処理装置１００との間で、データやり取りすることができる。
【００３９】
実施例１においては、記録機能のＵＳＢ通信は、１対１の接続形態を用いる。
【００４０】
上記構成要素１０１〜１０６、１０８〜１１９は、ＣＰＵ１０１が管理するＣＰＵバス１２２を介して、相互に接続されている。
【００４１】
図２は、画像処理装置１００に接続される携帯通信端末２００の概略構成を示すブロック図である。
【００４２】
携帯通信端末２００は、携帯電話等であり、ＣＰＵ２０１と、ＲＯＭ２０２と、画像メモリ２０３と、操作部２０４と、メモリカードＩ／Ｆ制御部２０５と、メモリカード２０６と、ＲＡＭ２０７と、表示部２０８と、外部Ｉ／Ｆ制御部２０９と、画像撮影部２１０と、通信部２１１と、ＣＰＵ２１２とを有する。
【００４３】
ＣＰＵ２０１は、システム制御部であり、携帯通信端末２００の全体を制御する。
【００４４】
ＲＯＭ２０２は、ＣＰＵ２０１が実行する制御プログラムやオペレーティングシステム（ＯＳ）プログラム等を格納する。実施例１では、ＲＯＭ２０２に格納されている各制御プログラムは、ＲＯＭ２０２に格納されている組み込みＯＳの管理下で、スケジューリングやタスクスイッチ等のソフトウェア制御を行う。
【００４５】
画像メモリ２０３は、ＤＲＡＭ（ｄｙｎａｍｉｃ  ＲＡＭ）等で構成され、画像データを蓄積する。
【００４６】
操作部２０４は、携帯通信端末２００の操作部としてキーを持つ部である。
【００４７】
メモリカードＩ／Ｆ制御部２０５は、携帯通信端末２００に挿入できるメモリカードのインタフェースを制御する。
【００４８】
メモリカード２０６は、データを蓄えるメモリを持つメディアである。実施例１では、メディアを特定していないが、電子データを保存できるものであれば、それを限定する必要はない。
【００４９】
ＲＡＭ２０７は、ＳＲＡＭ（ｓｔａｔｉｃ  ＲＡＭ）等で構成され、プログラム制御変数等を格納し、また、オペレータが登録した設定値、携帯通信端末２００の管理データ等を格納し、各種ワーク用バッファ領域が設けられている。
【００５０】
表示部２０８は、情報を表示することができる表示部である。通信を行うための電話番号や、画像撮影した際の画像閲覧等、複数の用途として表示部が使用される。
【００５１】
外部Ｉ／Ｆ制御部２０９は、外部機器と接続するためのインタフェースを制御する。実施例１では、画像処理装置１００と接続する。画像処理装置１００との間でデータを送受できる方法であれば、他の接続方法を使用するようにしてもよい。
【００５２】
画像撮影部２１０は、画像を撮影することができ、それをデジタルデータとして、画像メモリ２０３またはメモリカード２０６に保存することができる。
【００５３】
通信部２１１は、携帯通信端末２００が通信する手段である。電話としての通信やメール、携帯通信端末サイト等に使用することができる。
【００５４】
図３は、画像処理装置１００における操作表示部１０８の具体例を示す図である。
【００５５】
操作表示部１０８は、ＬＣＤ３０１と、電源キー３０２と、コピーモードキー３０３と、ファックスモードキー３０４と、スキャンモードキー３０５と、フォトモードキー３０６と、メニューキー３０７と、ユーザ設定キー３０８と、フォトインデックスシートキー３０９と、マイナスキー３１０と、プラスキー３１１と、セットキー３１２と、電話帳キー３１３と、リダイアルキー３１４と、テンキー３１５と、ＳＴＯＰキー３１６と、モノクロスタートキー３１７と、カラースタートキー３１８とを有する。
【００５６】
ＬＣＤディスプレイ３０１は、メッセージやオペレーションプロンプト、各種情報を表示するディスプレイである。
【００５７】
電源キー３０２は、装置の電源をＯＮ／ＯＦＦするキーである。
【００５８】
コピーモードキー３０３は、画像処理装置１００を、コピーできる状態にするためのキーである。コピーモードキー３０３を押下することによって、画像処理装置１００をコピーモードにすることができる。
【００５９】
ファックスモードキー３０４は、画像処理装置１００を、ファックスができる状態にするキーである。ファックスモードキー３０４を押下することによって、画像処理装置１００をファックスモードにすることができる。
【００６０】
スキャンモードキー３０５は、画像処理装置１００をスキャンできる状態にするキーである。スキャンモードキー３０５を押下することによって、画像処理装置１００を、スキャンモードにすることができる。
【００６１】
フォトモードキー３０６は、画像処理装置１００を、デジタル写真のカードやカメラからダイレクト印刷ができる状態にするキーである。フォトモードキー３０６を押下することによって、画像処理装置１００を、フォトモードにすることができる。
【００６２】
メニューキー３０７は、コピーやファックス、カードからのダイレクト印刷等の実行時における設定値を設定する項目を表示するキーである。メニューキー３０７を押下することによって、実行用の設定項目を、ＬＣＤ３０１に表示することができ、プラスキー３１１、マイナスキー３１０等を使用することによって選択し、セットキー３１２でセットすることができる。
【００６３】
ユーザ設定キー３０８は、ユーザが装置１００に設定する設定値を登録する画面を表示するキーである。ユーザ設定キー３０８を押下することによって、ユーザ設定項目をＬＣＤ３０１に表示することができ、プラスキー３１１、マイナスキー３１０等で選択し、セットキー３１２でセットすることができる。
【００６４】
フォトインデックスシートキー３０９は、フォトインデックスシートを、印刷または読取するための画面に移行することができるキーである。画像処理装置１００にメモリカード１２０が挿入されている状態において、このキー３０９が押下されると、フォトインデックスシートの印刷、または読取を指示できる画面に移行する。
【００６５】
プラスキー３１１、マイナスキー３１０等で、読取か、印刷かを選択し、セットキー３１２を使用して、セットすることができる。マイナスキー３１０、プラスキー３１１は、メニュー、ユーザ登録等、ユーザが複数の選択肢から選択する際に使用されるキーである。マイナス、プラスは、それぞれ逆順、正順である。
【００６６】
セットキー３１２は、選択された項目に対して、決定するキーである。電話帳キー３１３は、電話帳に登録された電話番号を呼び出すキーである。リダイアルキー３１４は、これを押すことによって、最後にダイヤルした相手先へ再発呼するキーである。
【００６７】
テンキー３１５は、電話番号、ファクシミリ番号や相手先名称等の登録や、コピー部数やダイヤルをするときに使用するキー群である。ＳＴＯＰキー３１６は、ファクシミリ送受信、コピーやその他のオペレーション操作を停止させるキーである。
【００６８】
モノクロスタートキー３１７は、白黒ファクシミリ送信、白黒コピー等を開始するキーである。カラースタートキー３１８を、カラーファクシミリ送信、カラーコピー、カラー写真印刷等を開始するキーである。
【００６９】
図４は、実施例１において、携帯通信端末２００を画像処理装置１００に接続した際に、自動バックアップする概要動作を示すフローチャートである。
【００７０】
まず、Ｓ４０１では、携帯通信端末２００が画像処理装置１００に接続されているかどうかを判別する。画像処理装置１００に接続されていなければ、接続されるまで、Ｓ４０１で待ちつづける。携帯通信端末２００が画像処理装置１００に接続されれば、自動バックアップが設定されているかどうかを判別する（Ｓ４０２）。この自動バックアップ設定は、操作部１０８を使用して、ユーザが予め設定しておく。自動バックアップが設定されていなければ（Ｓ４０２）、バックアップの開始を待つ（Ｓ４０３）。自動バックアップが設定されていれば（Ｓ４０２）、自動バックアップするために、Ｓ４０４へ移行する。
【００７１】
Ｓ４０３は、いつバックアップするかを設定してある値に応じて、バックアップの開始まで待つシーケンスである。この詳細な動作を、図１４に示す。
【００７２】
次に、携帯通信端末２００の端末情報を取得する（Ｓ４０４）。携帯通信端末２００の端末情報は、端末ごとに固有のデータや、携帯通信端末２００の種類等の情報がある。実施例１では、携帯通信端末２００の種類を区別するために、携帯通信端末２００の情報を取得するが、携帯通信端末２００を判別できる情報であれば、この限りではない。
【００７３】
Ｓ４０５では、携帯通信端末２００の電話番号を取得する。Ｓ４０６では、Ｓ４０５において取得した電話番号が、画像処理装置１００に既に登録されているかどうかを判別する。実施例１では、電話番号と端末番号との組み合わせをＩＤとして、データ格納場所に保存する。
【００７４】
図１６は、実施例１の動作説明図である。
【００７５】
たとえば、図１６に示すように、０９０−１１１１−１１１１と０９０−２２２２−２２２２とに関して、領域Ａ、Ｂ、Ｃを確保している。ここで、０９０−１２３４−５６７８の電話番号の携帯通信端末２００が接続されたとする。この際、接続された携帯通信端末２００のデータは、画像処理装置１００では登録されていないので、該当電話番号０９０−１２３４−５６７８、端末番号の端末ｄのために、領域Ｄを作る。
【００７６】
一方、Ｓ４０６では、接続された携帯通信端末２００が、既に登録されている番号であれば、Ｓ４０７に移る。Ｓ４０７では、接続された端末情報が、既に登録されているものかどうかを判別する。ここで、まだ登録されていないと判断されると、Ｓ４０８では、既に登録されている電話番号で、新規端末情報として、バックアップ領域を作成する。
【００７７】
図１６に示す例で説明すると、接続された携帯通信端末２００が、電話番号０９０−１１１１−１１１１であり、端末情報が端末ａであるとする。この際、０９０−１１１１−１１１１のグループに、新しいバックアップとして領域Ｅを作成し、登録する。このように、登録データは、電話番号と端末情報との２種類の情報によって、管理される。また、Ｓ４０７では、端末情報が既に登録されていれば、その登録領域を、バックアップ領域として確保する。
【００７８】
このように、Ｓ４０８では、既に登録されている電話番号と新規端末情報とのバックアップの領域として、Ｓ４０９では、登録された電話番号と端末情報とによるバックアップ領域として、Ｓ４１０では、新規電話場号、新規端末としてのバックアップ領域として、バックアップする領域を決定する。そして、Ｓ４１１では、携帯通信端末２００のデータをバックアップする。データのバックアップに関しては、図５で、その詳細を示す。
【００７９】
ここで、携帯通信端末２００には、１つの電話番号が登録されている。この電話番号は、携帯通信端末２００固有のものではなく、権利保有者に対して、権利に対して１対１となっている。このために、他の携帯通信端末に乗り換えることができ、端末ａ、ｂのように、１つの電話番号に対して、複数の端末データが存在する。したがって、実施例１では、電話番号と携帯通信端末２００の端末情報との２つが、バックアップ領域に格納されるべきＩＤである。
【００８０】
実施例１において、携帯通信端末２００を画像処理装置１００に接続された際に、自動的に画像処理装置１００にバックアップを取ることができる。
【００８１】
図５は、画像処理装置１００に接続されている携帯通信端末２００のデータをバックアップする動作（Ｓ４１１）を具体的に示すフローチャートである。
【００８２】
まず、Ｓ５０１では、携帯通信端末２００のデータを、画像処理装置１００にバックアップする。このバックアップの詳細動作について、図６〜８に示す。
【００８３】
次に、Ｓ５０２において、画像処理装置１００に接続されたパソコンに自動バックアップするかどうかを判別する。実施例１では、これを設定値で設定することができ、この設定法の詳細動作を、図１５に示してある。
【００８４】
パソコンに自動バックアップする場合、Ｓ５０５において、パソコンを自動バックアップする。Ｓ５０５の自動バックアップの詳細を、図１０に示してある。
【００８５】
一方、Ｓ５０２では、パソコンに自動バックアップしないと判別された場合、Ｓ５０３で、外部のネットワークサーバに、自動バックアップをするかどうかを判別する。ネットワークに自動バックアップする場合、Ｓ５０４で、外部のネットワークに自動的にバックアップする。この詳細について、図９に示してある。
【００８６】
ネットワークに自動バックアップをしなければ（Ｓ５０３）、画像処理装置１００にのみ、バックアップし、終了する。
【００８７】
このようにして、画像処理装置１００と、接続されたパソコンと、外部のネットワークとに、自動的にバックアップすることができる。なお、ネットワークサーバ、パソコンにバックアップするかどうかは、後述する設定方法によって設定することができる。
【００８８】
図６は、実施例１において、データをバックアップする動作を示すフローチャートである。
【００８９】
図６には、携帯通信端末２００から画像処理装置１００にデータを保存する動作を示しているが、特に、バックアップ対象の判別と、画像データと、メールデータとが関連している場合についての動作である。
【００９０】
また、画像処理装置１００から接続されたパソコンへデータを転送する際や、画像処理装置１００から外部のネットワークデータへデータを転送する際も、上記と同様である。
【００９１】
まず、Ｓ６０１では、携帯通信端末２００に、バックアップの対象となる画像データがあるかどうかを判別し、なければ、Ｓ６０４に移行する。このＳ６０１では、バックアップ対象となるか否かを判別しているが、この判別のために、実施例１においては、画像に情報を付与する。しかし、画像処理装置１００を判別することができる方法であれば、これに限るものではない。
【００９２】
画像データがあると判別されたら（Ｓ６０１）、Ｓ６０２では、携帯通信端末２００から画像データを取得し、Ｓ６０３では、取得データを、画像処理装置１００の図４で設定されたバックアップ領域に設定する。
【００９３】
Ｓ６０４では、携帯通信端末２００にバックアップ対象のメールがあるかどうかを判別する。Ｓ６０４で、バックアップ対象メールがなければ、Ｓ６０９に移行する。携帯通信端末２００にバックアップ対象メールがあれば（Ｓ６０４）、Ｓ６０５では、携帯通信端末２００からメールデータを取得し、Ｓ６０６では、バックアップデータとして対象となるメールが、画像とのリンクデータを持っているかどうかを判別する。メールとリンクデータがあれば（Ｓ６０６）、Ｓ６０７では、リンクのデータを作成し、保存する。
【００９４】
ここで、リンクデータの有無は、たとえばメール本文中の「Ｃｏｎｔｅｎｔ−Ｔｙｐｅ」に「ｍｕｌｔｉｐａｒｔ／ｍｉｘｅｄ」の記述があるかによって判断することができる。
【００９５】
Ｓ６０８では、取得メールデータを画像処理装置１００に保存し、Ｓ６０９では、その他のバックアップ対象のデータがあるかどうかを判別する。データがなければ（Ｓ６０９）、終了する。その他、音声やメモ帳等のデータがあれば（Ｓ６０９）、Ｓ６１０では、携帯通信端末２００からデータを取得し、Ｓ６１１では、取得データを画像処理装置１００に保存する。
【００９６】
この方法によって、携帯通信端末２００から画像処理装置１００に、データ転送することができる。また、このようにして、携帯通信端末２００のメールデータと画像データの関連情報とを保存することができる。上記説明は、携帯通信端末２００から画像処理装置１００への画像転送であるが、画像処理装置１００からパソコンへのバックアップ、また画像処理装置１００からネットワークサーバへの画像転送の場合も、上記と同様である。
【００９７】
また、実施例１では、画像とメールとの関連性を保存しているが、音声データとメール、アドレスデータとメール等の情報についても、上記と同様に保存するようにしてもよい。そのため、関連させるデータは、画像、メール以外であってもよい。
【００９８】
図７は、実施例１におけるバックアップの詳細動作を示すフローチャートである。
【００９９】
特に、携帯通信端末２００からリスト情報を取得することによって、携帯通信端末２００内の画像がバックアップ対象であるかどうかを判別する動作について説明する。
【０１００】
まず、Ｓ７０１では、データ情報のリスト情報を取得する。上記「データ情報」は、携帯通信端末２００に蓄積されているデータの情報である。このデータ情報には、画像の画像番号、画像サイズ、画像の圧縮方法等が含まれている。特に、ここでは、データ個数をリストアップした情報を取得する。そして、Ｓ７０２で取得した情報によって、データの数を、ＤＡＴＡとし、データが、１からＤＡＴＡまで存在しているとする。そして、データ番号を、Ｎと定義し、Ｎ＝１に初期化し、データを頭から順番にチェックする。
【０１０１】
次に、Ｓ７０３では、リストのＮ番目のデータ情報を取得する。このデータ情報には、データＮに付与されたデータ、たとえば撮影場所や、解像度、バックアップ対象であるか等の情報が含まれている。
【０１０２】
Ｓ７０４では、データＮの情報が、バックアップ対象であるかどうかを判別する。データＮがバックアップ対象でなければ（Ｓ７０４）、Ｓ７０６に移行する。また、バックアップ対象であると判別されたら（Ｓ７０４）、Ｓ７０５では、データを保存する。データの保存については、図８に詳細を示す。
【０１０３】
データの保存が終わったら、Ｓ７０６では、データＮがデータ数ＤＡＴＡよりも小さいかどうかを判別する。小さければ（Ｓ７０６）、Ｓ７０７では、Ｎ＝Ｎ＋１とし、Ｓ７０３で、データ情報を再び取得する。ＮがＤＡＴＡであれば（Ｓ７０６）、データ転送を終了する。
【０１０４】
実施例１によって、バックアップ対象を、画像データ毎に判別することができる。
【０１０５】
図８は、実施例１において、データを保存する動作を示すフローチャートである。
【０１０６】
図８に示す動作は、バックアップ対象の画像データを保存する動作（Ｓ７０５）の詳細動作である。
【０１０７】
図７において定義したＮを、ここでも、上記と同様の意味で使用する。
【０１０８】
まず、Ｓ８０１では、データが画像データであるかどうかを判別する。画像データでなければ、Ｓ８０５に移行する。一方、データが画像であれば（Ｓ８０１）、Ｓ８０２では、画像データＮに対して、画像データが違うが、画像の内容が同じであるものが存在しているかどうかを判別する。
【０１０９】
ここで、携帯通信端末２００等は、撮影用と電子メールでの送信用として、画像を２種類もつ。特に、携帯通信端末２００のカメラの性能が上がり、解像度が増加している。しかし、送信の転送速度が上がっていないので、携帯通信端末２００付属のデジタルカメラにおいて、高解像度で撮影した画像は、送信用として圧縮率を上げた画像を作成し、送信に用いている場合が多い。これによって、携帯通信端末２００内では、同じ画像に対して画像サイズが大きいものと小さいものとが含まれている。
【０１１０】
しかし、バックアップにおいては、送信用のデータを必要とせず、元画像が必要であるので、元画像のみをバックアップする。特に、複合機では、データをそのまま印刷できるので、大きい画像を保存することが効果的である。
【０１１１】
同じ画像において、違うサイズの画像が無ければ（Ｓ８０２）、Ｓ８０５に進む。一方、画像データＮに対して画像サイズが小さく同じ画像があれば（Ｓ８０２）、サイズの小さいものを、バックアップ対象から外す。Ｓ８０４では、画像データＮは、同じ画像の中で一番大きいサイズであるかどうかを判別する。ＹＥＳならば（Ｓ８０４）、Ｓ８０５に移行する。ＮＯであれば、Ｓ８０８に移行し、画像データＮのバックアップ対象のマークを外して終了する。
【０１１２】
一方、Ｓ８０５では、データＮが複数の携帯通信端末２００と共有するデータであるかどうかを判別する。判別する方法は、図１３に示す動作である。データＮが共有のデータであると判別されたら、Ｓ８０６では、画像処理装置１００の共有データ保存領域に、データＮを蓄積する。また、データＮが共有であると判別されなければ（Ｓ８０５）、Ｓ８０７に移行し、画像処理装置１００の端末データの保存領域に、データＮを蓄積する。
【０１１３】
上記方法によって、画像処理装置１００にデータを蓄積する。この際、画像データに対してサイズの小さいだけのデータが保存されているか、データが共有であるかを、判別し、それぞれに関して処理を行う。
【０１１４】
図９は、実施例１において、外部ネットワークサーバに、携帯通信端末２００のデータを自動バックアップする動作を示すフローチャートである。
【０１１５】
Ｓ９０１では、複合機がＬＡＮ接続されているかどうかを判別する。画像処理装置１００にＬＡＮが接続されていなければ（Ｓ９０１）、ＬＡＮが接続されるのを待つ。ＬＡＮが接続されていることを検知したら（Ｓ９０１）、バックアップ場所が設定されているかどうかを判別する（Ｓ９０２）。バックアップ場所が指定されていなければ（Ｓ９０２）、バックアップ場所をユーザが指定するように、表示部１０８において促す（Ｓ９１０）。
【０１１６】
そして、Ｓ９０２において、バックアップ場所が指定されているかどうかを再び判別する。バックアップ場所が設定されていたら（Ｓ９０２）、ＬＡＮ経由でネットワーク上のサーバとの通信を確立する（Ｓ９０３）。通常は、外部サーバの場所と、ユーザ名、パスワード等情報を、情報処理装置から送信し、認証を行うことによって、外部サーバとの接続を確立する。
【０１１７】
実施例１においては、ＬＡＮ接続で外部のサーバと接続しているが、通信手段を使ってデータを送信できる外部サーバであれば、ＬＡＮ接続以外の方法によって外部サーバに接続するようにしてもよい。
【０１１８】
サーバとの接続が確立したかどうかを判別する（Ｓ９０４）。接続が確立されなければ（Ｓ９０４）、接続が確立するまで待つ。Ｓ９０４で接続が確立されれば、サーバのデータと携帯通信端末から転送されたデータの現在の日付とをチェックし（Ｓ９０５）、サーバのデータが、携帯通信端末から転送されたデータよりも、古いかどうかを判別する（Ｓ９０６）。
【０１１９】
サーバのデータが、携帯通信端末からのデータよりも古ければ（Ｓ９０６）、サーバでデータを保存する（Ｓ９０７）。
【０１２０】
サーバのデータが携帯通信端末からのデータよりも古くなければ（Ｓ９０６）、携帯通信端末データをサーバに本当にバックアップするかどうかの問い合わせを表示し（Ｓ９０８）、バックアップするのであれば（Ｓ９０９）、ステップＳ９０７に進み、バックアップしなければ（Ｓ９０９）、終了する。
【０１２１】
この詳細方法は、図６で示した動作と同様に実行する。図６では、携帯通信端末２００から画像処理装置１００へのデータ保存であるが、画像処理装置１００からサーバへのデータバックアップとして考えている。
【０１２２】
図１０は、実施例１において、接続されたパソコンにデータを転送する動作を示すフローチャートである。
【０１２３】
Ｓ１００１では、画像処理装置１００にパソコンが接続されているかどうかを判別する。画像処理装置１００に、パソコンが接続されていなければ、Ｓ１００１で、パソコンが接続されるのを待つ。Ｓ１００１で、パソコンが接続されていることを検知したら、Ｓ１００２において、パソコンとの通信を確立する。通常、画像処理装置１００は、ＵＳＢやシリアル、ＬＡＮ等でパソコンと接続される。
【０１２４】
次に、Ｓ１００３では、パソコンとの接続が確立したかどうかを判別する。サーバとの接続が確立されなければ、Ｓ１００３において、接続が確立するまで待つ。その接続が確立すれば、Ｓ１００４では、パソコンにバックアップ場所が既に設定されているかどうかを判別する。
【０１２５】
バックアップ場所が設定されていなければ、Ｓ１００５で、バックアップ場所を作成し、Ｓ１００８では、パソコンデータをバックアップする。また、Ｓ１００４で、バックアップ場所が設定されていれば、Ｓ１００６では、パソコンのデータと、現在の携帯通信端末２００から転送されて画像処理装置１００に蓄積されているデータの日付とをチェックする。Ｓ１００７では、パソコンに保存されているデータが、携帯通信端末２００のデータよりも、古いかどうかを判別する。
【０１２６】
パソコンのデータが古ければ、Ｓ１００８で、データを保存する。パソコンのデータが携帯通信端末２００のデータよりも新しいと判別されたら（Ｓ１００７）、Ｓ１００９で、携帯のデータを、パソコンに本当にバックアップするかどうかを、表示部１０８に表示する。Ｓ１０１０では、それでもバックアップするかどうかを判別する。バックアップする場合、Ｓ１００８では、パソコンにデータを保存する。バックアップをしなければ、終了する。
【０１２７】
Ｓ１００８では、パソコンにデータをバックアップする。この詳細方法については、図６で示す方法によって実行することができる。図６に示す例は、携帯通信端末２００から画像処理装置１００へデータ保存する実施例であるが、画像処理装置１００からパソコンへデータをバックアップする場合も、上記と同様である。
【０１２８】
図１１は、携帯通信端末２００が画像処理装置１００に接続されたときに、データ自動バックアップのタイミングを設定する動作を示すフローチャートである。
【０１２９】
Ｓ１１０１では、自動バックアップのタイミングについて設定するかどうかを判別し、設定しなければ、Ｓ１１０１では、設定がされるまで待つ。Ｓ１１０１で、自動バックアップのタイミングについての設定がされたら、Ｓ１１０２では、設定値は何に設定されたのかを判別する。このステップにおいて、設定値を何にするかの質問を、表示部１０８に示し、操作部１０８を介して、ユーザが設定値を入力する。
【０１３０】
そして、設定された値が“接続時に自動バックアップする”であれば、Ｓ１１０３に移行し、自動バックアップタイミングを、接続時に実行するように設定する。
【０１３１】
Ｓ１１０２で、“充電終了後バックアップ”に設定されたら、自動バックアップの設定が充電終了後になるように設定する。Ｓ１１０２では、“設定された時刻にバックアップ”に設定されていれば、Ｓ１１０５で、バックアップの時間を設定する。Ｓ１１０６では、自動バックアップタイミングが、Ｓ１１０５で設定した時刻に動作するように設定される。
【０１３２】
ここで、設定したバックアップタイミングによって、携帯通信端末２００の自動バックアップのタイミングを調整することができる。また、次の３つのパターンで、バックアップをとることができる。つまり、自動バックアップを携帯通信端末２００接続時、携帯通信端末２００の電池が少ない際を考慮した充電完了時、あるいはバックアップするために必要十分な充電量に達している時、ユーザの携帯通信端末２００を使用しない時間をセットすることによって自由にバックアップが可能な時刻の３つのパターンで、バックアップをとることができる。これによって、バックアップのタイミングを、柔軟に設定することができる。
【０１３３】
図１２は、実施例１において、携帯通信端末２００に共有データを送信する動作を示すフローチャートである。
【０１３４】
Ｓ１２０１では、携帯通信端末２００が接続されたかどうかを判別する。携帯通信端末２００が接続されていなければ、Ｓ１２０１で、携帯通信端末２００の接続を待つ。Ｓ１２０１において携帯通信端末２００が接続されたら（Ｓ１２０１）、Ｓ１２０２では、携帯通信端末２００のデータの情報を取得する。Ｓ１２０３で、画像処理装置１００の共有データのデータサイズをチェックし、Ｓ１２０４では、携帯通信端末２００内のメモリに、共有のデータのサイズだけの空き領域があるかどうかを判別する。
【０１３５】
空き領域がなければ（Ｓ１２０４）、終了する。メモリに空きがあれば（Ｓ１２０４）、Ｓ１２０５では、共有データを携帯通信端末２００に転送する。このようにすることによって、画像処理装置１００の共有とされているデータを、接続されている携帯通信端末２００に転送することができ、したがって、共有と設定されているデータを、自動的に共有することができる。
【０１３６】
図１３は、実施例１において、データバックアップや共有の情報を、画像に付与する動作を示すフローチャートである。
【０１３７】
Ｓ１３０１では、画像を選択し、実施例１では、携帯通信端末２００において設定する。ただし、設定することができる限り、設定する装置は、携帯通信端末２００に限る必要はない。Ｓ１３０１で設定された画像において、Ｓ１３０２では、画像について、設定モードにセットされたかどうかを判別する。
【０１３８】
実施例１においては、画像が選択された際に、画像の編集や設定を行うことができる。この場合、選択された画像を、自動バックアップするかどうかを設定することができ、また、選択された画像が、複数の携帯通信端末２００で共有するデータであるかどうかを設定することができる。
【０１３９】
Ｓ１３０２で、画像を設定するモードであれば、Ｓ１３０３では、画像をバックアップ対象にするかどうかを判別する。ユーザとしては、携帯通信端末２００からの操作で、バックアップ対象となれば、バックアップマークが付いた状態で、携帯通信端末２００の画面に表示される。バックアップマークが付けられたら、Ｓ１３０４では、画像情報について、バックアップ設定をＯＮする。
【０１４０】
Ｓ１３０３で、バックアップマークをつけない場合、Ｓ１３０５では、画像の情報にバックアップ対象としない設定にし、Ｓ１３０６では、選択された画像を共有するかどうかを判別する。ユーザが、画像を共有する選択を行ったら、Ｓ１３０７で、選択された画像情報について、共有設定をＯＮする。これによって、携帯通信端末２００内の所望の画像のみをバックアップすることができる。また、画像に限らずメールデータにおいても有効である。
【０１４１】
Ｓ１３０６で、画像を共有しないと判別されたら、Ｓ１３０８では、画像情報の共有設定をＯＦＦにする。この設定によって、図５で示したように、どこでバックアップするかを示す情報を設定することができる。
【０１４２】
図１４は、実施例１において、バックアップのタイミングを待つ動作を示すフローチャートである。
【０１４３】
Ｓ１４０１では、バックアップのタイミングの設定が何であるかを判別する。充電後にバックアップすると設定されていたら（Ｓ１４０１）、Ｓ１４０２では、充電が終わったかどうかを判別する。充電が終わっていなければ、そのままＳ１４０２で待ち、充電が終われば（Ｓ１４０２）、終了し、バックアップに続く。
【０１４４】
Ｓ１４０１で、設定時刻にバックアップするように設定されていれば、Ｓ１４０３では、設定された時刻と現在の時刻とを比較する。設定時刻と現在の時刻とが互いに異なる場合、そのまま待ち続ける。設定時刻と現在の時刻とが互いに同じであれば（Ｓ１４０３）、終了する。これによって、実施例１において、図４で示すバックアップ待ち状態（Ｓ４０３）を実現している。
【０１４５】
図１５は、実施例１において、画像処理装置１００にバックアップ設定する動作を示すフローチャートである。
【０１４６】
画像処理装置１００において、Ｓ１５０１では、バックアップの設定がされたかどうかを判別する。実施例１では、画像処理装置１００において、バックアップ動作を行うかどうかを予め設定する。この設定がされていたら、バックアップを行う。
【０１４７】
Ｓ１５０１では、バックアップする設定がされたら、Ｓ１５０２で、パソコンにバックアップを行うかどうかを、ユーザが設定する。パソコンに自動バックアップをするように設定されたら、Ｓ１５０３に移行し、バックアップ自動設定をＯＮにする。
【０１４８】
パソコンに自動バックアップを設定しないと判別されたら（Ｓ１５０２）、Ｓ１５０４に移行し、パソコンへの自動バックアップ設定をＯＦＦにし、Ｓ１５０５では、ネットワークサーバに自動バックアップをするかどうかを、ユーザが設定する。ユーザが、ネットワーク自動バックアップを設定したら、Ｓ１５０６では、ネットワークサーバに自動バックアップする設定をＯＮする。
【０１４９】
Ｓ１５０７で、ネットワークサーバのアドレスを入力する。ここで、ユーザが、自動的にバックアップする外部サーバの領域を設定する。Ｓ１５０８で、ユーザの情報を、ユーザが入力する。ここで、パスワードやユーザＩＤを登録することによって、バックアップ時に、外部バックアップサーバに自動的に接続することができる。一方、ネットワーク自動バックアップが設定されなければ（Ｓ１５０５）、Ｓ１５０９で、ネットワーク自動バックアップの設定をＯＦＦにする。
【０１５０】
実施例１によれば、画像処理装置１００において接続されたパソコンまたは外部ネットワークサーバに、自動バックアップすることを、画像処理装置１００に設定することができる。
【０１５１】
図１６は、実施例１において、携帯通信端末２００のバックアップデータを、電話番号と端末情報とによって、バックアップ領域を分ける方法の説明図である。
【０１５２】
実施例１によれば、データを画像に限定せず、携帯通信端末２００の持つデータを、自動的にバックアップすることができる。また、実施例１によれば、携帯通信端末２００のメールデータとリンクされた画像のデータを、リンク情報も含めて保存することができる。これによって、バックアップ側でも、メールの添付画像を直ぐに検索することができる。
【０１５３】
さらに、実施例１によれば、画像処理装置１００は、パソコンに接続することができ、ＬＡＮ接続によって外部サーバと接続することができ、したがって、携帯通信端末２００の情報を、一度画像処理装置１００に保存し、次に、パソコンや外部サーバと接続することができるタイミングで、データをバックアップすることができる。また、バックアップするデータに関して、データ単位で情報を付与することによって、判別を容易にすることができ、自動バックアップすることが容易である。
【０１５４】
つまり、上記実施例によれば、データを画像に限定せず、携帯通信端末２００が持つデータを自動的にバックアップすることができる。
【０１５５】
また、上記実施例によれば、携帯通信端末２００のメールデータとリンクされた画像のデータを、リンク情報も含めて保存することができ、これによって、バックアップ側でもメールの添付画像をすぐ検索することができる。
【０１５６】
さらに、上記実施例によれば、画像の再生機能を特に必要としないので、装置に余計なコストをかける必要がない。
【０１５７】
そして、上記実施例によれば、画像処理装置を、パソコンに接続したり、ＬＡＮ接続によって外部サーバと接続することができ、したがって、携帯通信端末２００の情報を画像処理装置に一度保存し、次にパソコンや外部サーバとの接続ができるタイミングに、データをバックアップすることができる。
【０１５８】
また、上記実施例によれば、バックアップするデータに関しても、データ単位で情報を付与することによって、判別を容易にすることができ、自動バックアップを簡単に実行することができる。
【図面の簡単な説明】
【０１５９】
【図１】本発明の実施例１である画像処理装置（画像処理装置）１００の概略構成を示すブロック図である。
【図２】画像処理装置１００に接続される携帯通信端末２００の概略構成を示すブロック図である。
【図３】画像処理装置１００における操作部１０８の具体例を示す図である。
【図４】実施例１において、携帯通信端末２００を画像処理装置１００に接続した際に、自動バックアップする概要動作を示すフローチャートである。
【図５】画像処理装置１００に接続されている携帯通信端末２００のデータをバックアップする動作（Ｓ４１１）を具体的に示すフローチャートである。
【図６】実施例１において、データをバックアップする動作を示すフローチャートである。
【図７】実施例１におけるバックアップの詳細動作を示すフローチャートである。
【図８】実施例１において、データを保存する動作を示すフローチャートである。
【図９】実施例１において、外部ネットワークサーバに、携帯通信端末２００のデータを自動バックアップする動作を示すフローチャートである。
【図１０】実施例１において、接続されたパソコンにデータを転送する動作を示すフローチャートである。
【図１１】携帯通信端末２００が画像処理装置１００に接続されたときに、データ自動バックアップのタイミングを設定する動作を示すフローチャートである。
【図１２】図１２は、実施例１において、携帯通信端末２００に共有データを送信する動作を示すフローチャートである。
【図１３】実施例１において、データバックアップや共有の情報を、画像に付与する動作を示すフローチャートである。
【図１４】実施例１において、バックアップのタイミングを待つ動作を示すフローチャートである。
【図１５】実施例１において、画像処理装置１００にバックアップ設定する動作を示すフローチャートである。
【図１６】実施例１において、携帯通信端末２００のバックアップデータを、電話番号と端末情報とによって、バックアップ領域を分ける方法の説明図である。
【符号の説明】
【０１６０】
１００…画像処理装置、
１０８…操作表示部、
１２０…メモリカード、
１２１…デジタルカメラ、
２００…携帯通信端末、
２０６…メモリカード。
【図１】
2006054691.tif 000003
【図２】
2006054691.tif 000004
【図３】
2006054691.tif 000005
【図４】
2006054691.tif 000006
【図５】
2006054691.tif 000007
【図６】
2006054691.tif 000008
【図７】
2006054691.tif 000009
【図８】
2006054691.tif 000010
【図９】
2006054691.tif 000011
【図１０】
2006054691.tif 000012
【図１１】
2006054691.tif 000013
【図１２】
2006054691.tif 000014
【図１３】
2006054691.tif 000015
【図１４】
2006054691.tif 000016
【図１５】
2006054691.tif 000017
【図１６】
2006054691.tif 000018